(57)【特許請求の範囲】
【請求項１】
プラグインコネクター（１）であって、さらなるプラグインコネクター（１２）内に収容されると共に前記さらなるプラグインコネクター（１２）に対して掛止されるための、ラッチングシステムを備え、前記ラッチングシステムはコネクターハウジング（３）に配置されると共にラッチングラグ（９）を有する少なくとも一つのラッチングタブ（２）を具備し、前記ラッチングタブ（２）は、スプリング力を加えるために前記コネクターハウジング（３）に当接状態で配置することが可能な圧力タブ（８）を有し、
前記ラッチングタブ（２）は、Ｖ字形状であり、かつ、外側脚部（４）と、この外側脚部（４）よりも短い内側脚部（５）と、を具備し、
前記内側脚部（５）は、その第１の端部において、接続ブリッジ（６）によって前記コネクターハウジング（３）に対して接続されており、かつ、その第２の端部において、フィルムヒンジ（７）によって前記外側脚部（４）の第２の端部に連結されることを特徴とするプラグインコネクター。
【請求項２】
前記圧力タブ（８）は、前記コネクターハウジング（３）に面する側において前記外側脚部（４）の第１の端部に配置されることを特徴とする請求項１に記載のプラグインコネクター。
【請求項３】
前記ラッチングタブ（２）の前記ラッチングラグ（９）は、前記コネクターハウジング（３）に面する側において、前記内側脚部（５）の第２の端部に配置されることを特徴とする請求項１または請求項２に記載のプラグインコネクター。
【請求項４】
前記内側脚部（５）は、その第１の端部にラッチング領域（１０）を有し、かつ、前記外側脚部（４）は、前記内側脚部（５）に面するその側に、前記内側脚部（５）の前記ラッチング領域（１０）に対して掛止するためのラッチングフック（１１）を有し、前記圧力タブ（８）は、前記ラッチング領域（１０）内に前記ラッチングフック（１１）を掛止することによって前記コネクターハウジング（３）に当接状態で配置することが可能であることを特徴とする請求項１ないし請求項３のいずれか１項に記載のプラグインコネクター。
【請求項５】
前記圧力タブ（８）のスプリング力は、前記ラッチングラグ（９）の領域において、前記コネクターハウジング（３）に向って力を加えることを特徴とする請求項１ないし請求項４のいずれか１項に記載のプラグインコネクター。
【請求項６】
前記圧力タブ（８）は前記内側脚部（５）に向って傾斜させられていることを特徴とする請求項１ないし請求項５のいずれか１項に記載のプラグインコネクター。
【請求項７】
前記プラグインコネクター（１）は前記ラッチングシステムと一体的に形成されることを特徴とする請求項１ないし請求項６のいずれか１項に記載のプラグインコネクター。
【請求項８】
前記ラッチングシステムは複数のラッチングタブ（２）を具備することを特徴とする請求項１ないし請求項７のいずれか１項に記載のプラグインコネクター。
【発明の詳細な説明】
【技術分野】
【０００１】
本発明は、さらなるプラグインコネクター内に収容されると共にそれに対して掛止されるための、ラッチングシステムを備えたプラグインコネクターに関する。
【背景技術】
【０００２】
電気技術の分野において、ラッチングシステムを有する、さまざまなプラグインコネクターが知られている。この種のプラグインコネクターはベースストリップ内に挿入することができ、かつ、付加的固定具によって、例えばその上に配置あるいは積み重ねることができるラッチングタブによって、ベースストリップに対して掛止されることができる。この種のラッチングタブのラッチング力は、圧力タブの長さおよびピッチを変更することによって変化させることができる。だが、その欠点は、ラッチングタブがプラグインコネクターのハウジングに対して直接連結されず、したがってベースストリップに対してプラグインコネクターを掛止するために、さらなる加工ステップが必要になることである。
【０００３】
さらに、ラッチングタブがハウジング上に一体的に配置されるプラグインコネクターが知られている。だが、この種のプラグインコネクターに関する問題は、ラッチングタブはプラグインコネクターの射出成形製造プロセスの間に変形することがあり、したがってラッチングタブはベースストリップに対する掛止のために必要な対応するラッチング力を加えることができない、というものである。
【発明の概要】
【発明が解決しようとする課題】
【０００４】
したがって、本発明の目的は、ラッチングシステムを有するこの種のプラグインコネクターを提供することであり、当該コネクターにおいては、ラッチングシステムのラッチング力はプラグインコネクターの製造プロセスによって悪影響を受けない。
【課題を解決するための手段】
【０００５】
この目的は、請求項１の対象事項によって達成される。本発明の有利な展開は従属請求項に記載されている。
【０００６】
本発明によれば、したがって、さらなるプラグインコネクター内に収容されると共にそれに対して掛止されるための、ラッチングシステムを備えたプラグインコネクターが提供され、ラッチングシステムはコネクターハウジングに配置されると共にラッチングラグを有する少なくとも一つのラッチングタブを具備し、ラッチングタブは、スプリング力を加えるためにコネクターハウジングに当接状態で配置することが可能な圧力タブを有することを特徴とする。
【０００７】
したがって、ラッチングタブの圧力タブがプラグインコネクターの製造プロセス中にコネクターハウジングに対して既に直接連結されないことが本発明の本質的な態様である。圧力タブは、この圧力タブがコネクターハウジングに当接して配置されるときにだけ、スプリング力を加える。このようにして、プラグインコネクターの製造プロセスの間、圧力タブは、ラッチングタブのその後のスプリング力にとって問題となるプレストレスにさらされない。さらに、圧力タブは、ラッチングタブによって加えられる計画されたラッチング力に依存して、生産プロセスの間、調整することができる。
【０００８】
本発明の別の好ましい展開によれば、ラッチングタブがＶ字形状でありかつ外側脚部と、この外側脚部よりも短い内側脚部とを具備する構成が提供される。
【０００９】
さらに、本発明の別な好ましい展開によれば、内側脚部は、その第１の端部において、接続ブリッジによってコネクターハウジングに対して接続され、かつ、その第２の端部において、フィルムヒンジによって外側脚部の第２の端部に連結される構成が提供される。
【００１０】
本発明の別な好ましい展開によれば、圧力タブが、コネクターハウジングに面する側において外側脚部の第１の端部に配置される構成が提供される。
【００１１】
さらに、本発明の別な好ましい展開によれば、圧力タブのラッチングラグが、コネクターハウジングに面する側において内側脚部の第２の端部に配置される構成が提供される。
【００１２】
本発明の別な好ましい展開によれば、内側脚部が、その第１の端部にラッチング領域を有し、かつ、外側脚部が、内側脚部に面するその側に、内側脚部のラッチング領域に対して掛止するためのラッチングフックを有し、圧力タブは、ラッチング領域内にラッチングフックを掛止することによってコネクターハウジングに当接状態で配置することが可能である構成が提供される。このようにして、圧力タブのスプリング力は、ラッチング領域に掛止されるラッチングフックによってのみ加えられる。したがって、ラッチングシステムを備えたプラグインコネクターが提供され、このコネクターにおいては、ラッチングシステムのラッチング力はより後の時点でのみ作用させることができる。これは、特に、ラッチングシステムを備えたプラグインコネクターの製造プロセスに関係がある。なぜなら、とりわけ、温度依存方法ステップは、スプリング力によって達成可能なラッチングタブのプレストレッシングに大きな影響を与えないからである。
【００１３】
このコンテクストにおいては、本発明の別な好ましい展開によれば、外側脚部の内面はラッチングフックがラッチング領域に掛止するとき内側脚部に当接する。このようにして、外側脚部と内側脚部との間で力を伝達することができる。
【００１４】
さらに、本発明の別な好ましい展開によれば、圧力タブのスプリング力がラッチングラグの領域において、コネクターハウジングに向って力を加える構成が提供される。このようにして、ラッチングラグはコネクターハウジングに対して押圧され、この結果、ラッチングシステムのラッチング効果が増大する。
【００１５】
本発明の別な好ましい展開によれば、圧力タブは内側脚部に向って傾斜させられ、かつ、外側脚部の軸線に関して約３０°と約６０°の間の角度をなす。このようにして、圧力タブの傾斜角度を変更することによってツールにて圧力タブのスプリング力を調整することができる。圧力タブのスプリング力を調整するために傾斜角度を変更することと同様、圧力タブのスプリング力はまた圧力タブの長さを変更することによっても調整できる。
【００１６】
さらに、本発明の別な好ましい展開によれば、ラッチングタブを、圧力タブのスプリング力と反対方向に作用する力によってラッチングラグの領域においてコネクターハウジングから離れる方向に移動させることができる構成が提供される。このようにして、さらなるプラグインコネクター内に挿入されると共にさらなるプラグインコネクターに対して掛止されるプラグインコネクターの掛止は、プラグインコネクターを、さらなるプラグインコネクターから分離させることができるように解放される。
【００１７】
本発明の別な好ましい展開は、プラグインコネクターがラッチングシステムと一体的に形成されることである。このようにして、ラッチングシステムを備えたプラグインコネクターが提供されるが、このコネクターにおいては、ラッチングシステムのラッチング力はプラグインコネクターの製造プロセスによって悪影響を受けることがなく、さらに、さらなるプラグインコネクター内にプラグインコネクターを挿入することに加えて、掛止のためにさらなる作業ステップは必要とされない。
【００１８】
最後に、本発明の別な好ましい展開によって提供されるのは、ラッチングシステムが複数のラッチングタブを備えることである。このようにして、さらなるプラグインコネクターに対するプラグインコネクターの特に確実な掛止が実現される。
【００１９】
以下、図面を参照しながら好ましい実施形態に基づいて本発明について詳細に説明する。
【図面の簡単な説明】
【００２０】
【図１】本発明の好ましい実施形態によるＶ字形状ラッチングタブを有するプラグインコネクターの斜視図である。
【図２】本発明の好ましい実施形態によるコネクターハウジングに当接状態で配置された圧力タブを有するコネクターの平面図である。
【図３】本発明の好ましい実施形態によるさらなるプラグインコネクター内に収容されると共にそれに対して掛止されるためのプラグインコネクターの斜視図である。
【発明を実施するための形態】
【００２１】
図１はラッチングシステムを備えたプラグインコネクター１を示しており、このラッチングシステムは第１のラッチングタブ２およびこの第１のラッチングタブ２と同一の第２のラッチングタブ２を具備する。第１のラッチングタブ２および第２のラッチングタブ２は同一であり、かつ、第１のラッチングタブ２および第２のラッチングタブ２はプラグインコネクター１のコネクターハウジング３に対称的に配置されるので、ラッチングシステムの設計を一方のラッチングタブ２に基づいて説明する。
【００２２】
ラッチングタブ２はＶ字形状であり、かつ、外側脚部４と、この外側脚部４よりも短い内側脚部５とを備える。内側脚部５は、その第１の端部において、接続ブリッジ６によってコネクターハウジング３に対して接続され、かつ、その第２の端部において、フィルムヒンジ７によって外側脚部４の第２の端部に対して連結される。
【００２３】
外側脚部４は、コネクターハウジング３に面するその側に、内側脚部５に向って傾斜させられた圧力タブ８を有する。圧力タブの傾斜角度は外側脚部４の軸線に関して約３０°である。
【００２４】
さらなるプラグインコネクター１２（図１には示していない）に対して掛止するためのラッチングラグ９が、コネクターハウジング３に面する側において内側脚部５の第２の端部に配置されていることがさらに分かる。加えて、内側脚部５はその第１の端部にラッチング領域１０を有すると共に、外側脚部４は、内側脚部に面するその側に、内側脚部５のラッチング領域１０に対して掛止するためのラッチングフック１１を有する。
【００２５】
図２に示すように、外側脚部４のラッチングフック１１は、内側脚部５の第１の端部においてラッチング領域１０に対して掛止される。このようにして、外側脚部４の第１の端部に配置された圧力タブ８は、コネクターハウジング３に当接状態で配置される。
【００２６】
ラッチングフック１１がラッチング領域１０に対して掛止する結果として、外側肢４の内側は内側肢５に接触することがさらに分かる。このようにして、コネクターハウジング３に当接状態で圧力タブ８を配置することによって生み出される圧力タブ８のスプリング力は、外側脚部４およびラッチング領域１０に対して掛止されたラッチングフック１１によって、ラッチングラグ９の範囲まで内側脚部５に対して伝達される。
【００２７】
コネクターハウジング３に対して内側脚部４を接続するための接続ブリッジ６はピボットポイントとして機能し、したがって圧力タブ８によって加えられるスプリング力はラッチングラグ９の領域においてコネクターハウジング３に向って力を加える。
【００２８】
図３は、さらなるプラグインコネクター１２内に収容されると共にそれに対して掛止されるためのラッチングシステムを備えたプラグインコネクター１を示している。各ラッチングタブ２の圧力タブ８はコネクターハウジング３に当接する。圧力タブ８によって加えられるスプリング力は、ラッチングラグ９の領域においてコネクターハウジング３に向う力を発生させる。さらなるプラグインコネクター１２内にプラグインコネクター１を挿入することによって、図２に示すラッチングラグ９は、さらなるプラグインコネクター１２における対応するリセス１３内に掛止する。
【００２９】
外側から外側脚部４の第１の端部に対して加えられると共に圧力タブ８によって加えられるスプリング力に対して反対方向に作用する力によって、ラッチングタブ２は、ラッチングラグ９の領域においてコネクターハウジング３から離れるように移動させることができる。このようにして、プラグインコネクター１をさらなるプラグインコネクター１２から分離させることができるように、さらなるプラグインコネクター１２内に挿入されかつさらなるプラグインコネクター１２に対して掛止されたプラグインコネクター１のラッチングは解放される。
【符号の説明】
【００３０】
１  プラグインコネクター
２  ラッチングタブ
３  コネクターハウジング
４  外側脚部
５  内側脚部
６  接続ブリッジ
７  フィルムヒンジ
８  圧力タブ
９  ラッチングラグ
１０  ラッチング領域
１１  ラッチングフック
１２  さらなるプラグインコネクター
１３  リセス
【図１】
0006259079.tif 000002
【図２】
0006259079.tif 000003
【図３】
0006259079.tif 000004